(57)【特許請求の範囲】
【請求項１】
基礎上に設置され所定間隔でピン孔が多数個穿設されたステップバーに対して移動構造体を支持する一対のブロックから構成されるスライド装置の一方のピンブロックから進出付勢されたスライドピンの前記ピン孔への選択的係合と前記一対のブロック間のジャッキ等による伸縮運動とにより前記移動構造体を移動させるスライド装置において、前記スライドピンの先端をスライド装置の進行方向の移動が可能な傾斜面に形成するとともに、前記スライドピンの対向側において電磁石の解磁により前記ステップバーのピン孔に係合する逸走防止ピンを設置したことを特徴とするスライド装置における逸走防止機構。
【請求項２】
前記電磁石の解磁が地震等の揺れを検出してなされることを特徴とする請求項１に記載のスライド装置における逸走防止機構。
【請求項３】
前記逸走防止ピンの先端を前記スライドピンの先端の傾斜と逆向きにするとともに、両傾斜面を整合して係合させたことを特徴とする請求項１または２に記載のスライド装置における逸走防止機構。
【請求項４】
前記ステップバーにおける逸走防止ピン側のピン孔の前後およびピン孔間に、所定厚さのロックプレートを適宜個数設置したことを特徴とする請求項１から３のいずれかに記載のスライド装置における逸走防止機構。
【発明の詳細な説明】
【技術分野】
【０００１】
本発明は、基礎上に設置され所定間隔でピン孔が多数個穿設されたステップバーに対して移動構造体を支持する一対のブロックから構成されるスライド装置の一方のピンブロックから進出付勢されたスライドピンの前記ピン孔への選択的係合と前記一対のブロック間のジャッキ等による伸縮運動とにより前記移動構造体を移動させるスライド装置に関する。
【背景技術】
【０００２】
従来、建築物等の重量構造体を水平移動させるには様々な工法が用いられてきた。そのような重量構造体の水平移動を行うものとして、比較的簡単な構造の油圧ジャッキを用いることが可能で、レール上に所定間隔で形成された係合部に該油圧ジャッキの係合体を係止させて、油圧ジャッキの伸縮により構造体を水平移動させるものが提案された（下記特許文献１参照）。
【特許文献１】実開昭６３−１２９０５０号公報（公報図１〜図４参照）
【発明の開示】
【発明が解決しようとする課題】
【０００３】
前記特許文献１に開示されたトラベリング用走行レール兼反力装置ついて図９を用いて簡単に説明する。躯体の柱に取り付けたＨ形鋼からなる受け梁３１のフランジ３２の中央部３３を走行レールとし、その両側部３８、３８に一方向にのみ係止する切欠き３７を開設して反力部としたもので、油圧ジャッキ３４の牽引に対する反力をとるために、前記切欠き３７を、前方に向かって上向き斜面３５と、その後方を立上り部３６とした。
【０００４】
フランジ３２の中央部３３には、躯体の梁３９の移動用シュー（図示省略）が載置されるとともに、油圧ジャッキ３４の一端４０が枢着される。該油圧ジャッキ３４の他端４１には、反力部の切欠き３７に係合するところの前方に向かって下向きの斜面４２を形成し、その後方を立上り部４３とした係合部４４を両側に有する係止体４５が枢着される。この係止体４５を反力部の切欠き３７に係合させて梁３９を牽引するものである。このような構成により、簡素な構造のレールとジャッキとの組合せにより、構造体の水平移動装置を簡単な製作により低コストで提供できることとなった。
【０００５】
ところが、前記従来のものでは、油圧ジャッキ３４の先端側の係止体４５を進行方向の前方の次の切欠き３７に係合させるためには、係止体４５を現在の切欠き３７における前方に向かう上向き斜面３５から前方へ離脱させる必要がある。そのため、油圧ジャッキ３４の一端４０を躯体の梁３９に枢着したり、油圧ジャッキ３４の他端４１を係止体４５に枢着する必要があって、油圧ジャッキ３４や係止体４５の揺動を伴った。このため、これらの枢着部による強度低下が免れないものとなり、移動すべき構造体の重量が制限されたり、油圧ジャッキ３４の牽引が円滑に行われない虞れがあった。
【０００６】
そのようなことから、本件発明者らは、図１０に示すようなスライド装置を提案した。図１０に示したスライド装置は、詳細な全体図は省略されるが、本発明のスライド装置を説明した図１に示したものと同様のものである。図１を参照しつつ説明すると、基礎Ｇ上に設置され所定間隔でピン孔８、８・・・が多数個穿設されたステップバー７に対して移動構造体Ｕを支持する一対のブロック４、９から構成されるスライド装置の一方のピンブロック４から進出付勢されたスライドピン１０の前記ピン孔８への選択的係合と前記一対のブロック４、９間のジャッキ５、６等による伸縮運動とにより前記移動構造体Ｕを移動させるもので、図１０に拡大して示すように、ピンブロック４からステップバー７のピン孔８に対して圧縮ばね等の付勢ばねによりほぼ直交して付勢（図１０で図面下方、図１（Ａ）（Ｂ）で紙背から手前方向）されたスライドピン１０を侵入・係合させるものである。
【０００７】
このような構成により、ステップバー７に所定間隔で穿設されたピン孔８、８・・・の位置にピンブロック４が到達する毎に、付勢されたスライドピン１０が自動的にピン孔８に係合するので、ピン孔８に係合したスライドピン１０により位置が固定されたピンブロック４に対してジャッキブロック９側に固定されたジャッキ５、６を伸長させることで、ジャッキブロック９側を前方にスライドさせて移動させることが可能となる。これにより、ジャッキブロック９側に支持された移動構造体Ｕを前方にスライド移動させることができる。このような構成によって、スライド装置におけるピンブロック４のステップバー７への固定は、ステップバー７に対して略直交するスライドピン１０の係合のみにて比較的小さな力で行えるとともに、移動構造体の移動のためのジャッキの操作は進行方向の直線運動のみにて行えるため、構造が簡素となり、強度低下もなく、移動構造体の押進力も大きなものを維持できることとなった。
【０００８】
ところが、前記図１０に示したものでは、図１のステップバー７に所定間隔で穿設されたピン孔８、８・・・の位置にピンブロック４が到達する毎に、付勢されたスライドピン１０が自動的にピン孔８に係合するように構成するため、つまり、ピンブロック４が進行方向（図面左方向）にはフリーに移動可能に構成されるため、前記スライドピン１０の先端をスライド装置の進行方向の移動が可能な傾斜面（前進方向に仰角が形成される形態）に形成されていることによって、前記ジャッキブロック９側を伸長させる際のピンブロック４の相対的な後方への反力を前記ピン孔８の後端にてスライドピン１０を効果的に抑止するものの、ピンブロック４が前方にはフリーに移動可能である。そのため、ジャッキ５、６による移動構造体Ｕの移動中あるいは図１０に示すようにピンブロック４の盛替え（進行方向次のピン孔８への移動）中に、万一の地震等が発生した場合には、進行方向前後方向の振動によりピンブロック４におけるスライドピン１０がピン孔８から抜け出す虞れがあった。
【０００９】
そこで本発明は、前記従来のスライド装置における課題を解決して、移動構造体の移動中およびピンブロックの盛替え中に地震等が発生しても、スライド装置ひいては移動構造体の逆走および逸走を防止できるスライド装置の逸走防止機構を提供することを目的とする。
【課題を解決するための手段】
【００１０】
このため本発明は、基礎上に設置され所定間隔でピン孔が多数個穿設されたステップバーに対して移動構造体を支持する一対のブロックから構成されるスライド装置の一方のピンブロックから進出付勢されたスライドピンの前記ピン孔への選択的係合と前記一対のブロック間のジャッキ等による伸縮運動とにより前記移動構造体を移動させるスライド装置において、前記スライドピンの先端をスライド装置の進行方向の移動が可能な傾斜面に形成するとともに、前記スライドピンの対向側において電磁石の解磁により前記ステップバーのピン孔に係合する逸走防止ピンを設置したことを特徴とする。また本発明は、前記電磁石の解磁が地震等の揺れを検出してなされることを特徴とする。また本発明は、前記逸走防止ピンの先端を前記スライドピンの先端の傾斜と逆向きにするとともに、両傾斜面を整合して係合させたことを特徴とする。また本発明は、前記ステップバーにおける逸走防止ピン側のピン孔の前後およびピン孔間に、所定厚さのロックプレートを適宜個数設置したことを特徴とするもので、これらを課題解決のための手段とするものである。
【発明の効果】
【００１１】
本発明によれば、基礎上に設置され所定間隔でピン孔が多数個穿設されたステップバーに対して移動構造体を支持する一対のブロックから構成されるスライド装置の一方のピンブロックから進出付勢されたスライドピンの前記ピン孔への選択的係合と前記一対のブロック間のジャッキ等による伸縮運動とにより前記移動構造体を移動させるスライド装置において、前記スライドピンの先端をスライド装置の進行方向の移動が可能な傾斜面に形成するとともに、前記スライドピンの対向側において電磁石の解磁により前記ステップバーのピン孔に係合する逸走防止ピンを設置したことにより、電磁石を励磁して逸走防止ピンを退避させることで、ステップバーに対してピンブロックを自在に進行方向に移動させてピンブロックの盛替え作業が自動的に行えるものでありながら、万一の地震等の発生により横揺れが生じても、スイッチ動作あるいは断線により電磁石が有効に解磁されることで逸走防止ピンがステップバーのピン孔に係合して、スライド装置ひいては移動構造体の逆走および逸走を確実に防止できて安全である。
【００１２】
また本発明は、前記電磁石の解磁が地震等の揺れを検出してなされる場合は、揺れを検出してスイッチ動作により直ちに逸走防止ピンをステップバーのピン孔に係合させることができるので、応答性よくスライド装置ひいては移動構造体の逆走および逸走を確実に防止できる。さらに、前記逸走防止ピンの先端を前記スライドピンの先端の傾斜と逆向きにするとともに、両傾斜面を整合して係合させた場合は、ステップバーのピン孔に対する両方のピンの傾斜面と反対側の規制面をオーバーラップ配置することができるので、ステップバーの厚みを無用に大きくする必要がなくなる。
【００１３】
さらにまた、前記ステップバーにおける逸走防止ピン側のピン孔の前後およびピン孔間に、所定厚さのロックプレートを適宜個数設置した場合は、ピンブロックの盛替え作業中の、ピンブロックがステップバーのピン孔間に位置する場合等に地震が派生した場合でも、それらの位置にて直ちに逸走防止ピンがロックプレートに係止してピンブロックの逸走が防止される。また、ロックプレートの厚さを逸走防止ピンの傾斜面形成部を越えて形成した場合には、ピンブロックの逆走も有効に防止することができる。
【発明を実施するための最良の形態】
【００１４】
以下本発明を実施するための最良の形態を図面に基づいて説明する。図１は本発明のスライド装置における逸走防止機構の全体側面図および要部断面図、図２はピンブロックの要部断面図、図３はスライド装置の側面および平面図、図４は図３（Ａ）のＣ矢視ピンブロックの全体断面図、図５はピンブロックの盛替え状態説明図、図６はスライド装置による移動構造体の移動作業手順を示すスライドサイクル図、図７はロックプレートを設置したステップバーの変形例を示す逸走防止状態の平面図、図８は他の変形例を示す逸走および逆走防止状態の平面図である。
【００１５】
本発明のスライド装置における逸走防止機構の基本的な構成は、図１に示すように、基礎Ｇ上に設置され所定間隔でピン孔８、８・・・が多数個穿設されたステップバー７に対して移動構造体Ｕを支持する一対のブロック４、９から構成されるスライド装置１の一方のピンブロック４から進出付勢されたスライドピン１０の前記ピン孔８への選択的係合と前記一対のブロック４、９間のジャッキ５、６等による伸縮運動とにより前記移動構造体Ｕを移動させるスライド装置において、前記スライドピン１０の先端をスライド装置１の進行方向の移動が可能な傾斜面１０Ａに形成するとともに、前記スライドピン１０の対向側において電磁石１６（図２）の解磁により前記ステップバー７のピン孔８に係合する逸走防止ピン１５を設置したことを特徴とする。
【００１６】
以下に詳述する。本発明のスライド装置１は、駅舎等の重量構造体をホーム上で水平移動させる構築作業等において使用される。その他、建築物の水平移動、橋桁等の重量構造体の水平移動等、様々な重量構造体の水平移動作業に採用できる。静止部である基礎Ｇ上に、移動構造体Ｕの移動距離にほぼ等しい長さのステップバー７が第１および第２固定台２、３間に渡設される。ステップバー７は例えばＩ形鋼あるいはＨ形鋼を用いて、両端フランジ部が上下に位置するように設置される。ステップバー７の両端部と固定台２、３との間には適宜の荷重計や固定状態調整機構等が介設される。ステップバー７の垂直板面には所定間隔で多数個のピン孔８、８・・・が穿設される。これらのピン孔８は好適には図示の例のように側面視で四角形を呈するが、これに限定されずに円形その他であってもよい。
【００１７】
前記ステップバー７を取り囲んで、好適には、ステップバー７をそれぞれ両側から挟持するごとき形態にて、一対のブロック４、９から構成されるスライド装置１が配設される。これら一対のブロック４、９の中、一方をスライドピン１０が付勢進出されるピンブロック４とし、他方をジャッキ５、６のシリンダ５Ａ、６Ａが固定されるジャッキブロック９とする。ジャッキブロック９には移動構造体Ｕが支持され、押進装置受構台としての役割を担う。このような構成のもとで、図１（Ａ）および図１（Ｃ）に示すように、一方のピンブロック４におけるばね（図示省略、後述する）により付勢されたスライドピン１０をステップバー７のピン孔８に係合した状態にて、スライド装置１の他方のジャッキブロック９に固定されステップバー７と略平行に配設されたジャッキ５、６の各シリンダ５Ａ、６Ａからそれぞれのピストン５Ｂ、６Ｂを図１（Ｂ）のように伸張させることで、ピンブロック４すなわちステップバー７に対してジャッキブロック９が進行方向（図面左方）に移動させることができる。これにより、移動構造体Ｕが図１（Ａ）の状態から図１（Ｂ）の状態にまで移動する。
【００１８】
図１（Ｃ）に示すように、ばねにて付勢されるスライドピン１０の先端はスライド装置１の進行方向の移動が可能な傾斜面（前進方向に仰角が形成される形態）１０Ａに形成されており、前記ジャッキブロック９側を伸張させる際のピンブロック４の相対的な後方への反力を前記ピン孔８の後端に当接する規制面１０Ｂにてスライドピン１０を効果的に抑止しつつ、ステップバー７に対してピンブロック４を自在に進行方向に移動させて、次のピン孔８への移行しての係合を行うところのピンブロック４の盛替え作業が自動的に行えるように構成されている。
【００１９】
本発明では、図１（Ｃ）に示すように、前記スライドピン１０に組み合わせて、該スライドピン１０の対向側において電磁石（図示省略、後述する）の解磁（に伴うばねの付勢力）により前記ステップバー７のピン孔８に係合する逸走防止ピン１５を設置したことを特徴とする。好適には、図示のように、前記逸走防止ピン１５の先端を前記スライドピン１０の先端の傾斜１０Ａと逆向きに傾斜させた傾斜面１５Ａに形成するとともに、両傾斜面を整合して係合させた場合は、ステップバー７のピン孔８に対する両方のピン１０、１５の傾斜面１０Ａ、１５Ａと反対側の規制面１０Ｂ、１５Ｂをオーバーラップ配置することができるので、ステップバー７の厚みを無用に大きくする必要がなくなる。ステップバー７の厚みを充分に採ることができるなら、逸走防止ピン１５の先端に傾斜面を形成しなくてもよい。なお、ステップバー７のピン孔８とスライドピン１０および逸走防止ピン１５の径との間に差δがある場合には、ピンの孔への係合が円滑になるものの、地震等の横揺れの際にはδの範囲で僅かに移動を生じることになる。
【００２０】
かくして、電磁石を励磁して逸走防止ピン１５を退避させることで、ステップバー７に対してピンブロック４を自在に進行方向に移動させてピンブロック４の盛替え作業が自動的に行えるものでありながら、万一の地震等の発生により横揺れが生じても、スイッチ動作あるいは断線により電磁石が有効に解磁されることで、適宜のばね等の付勢力により逸走防止ピン１５がステップバー７のピン孔８に係合して、スライド装置１ひいては移動構造体Ｕの逆走および逸走を確実に防止できて安全である。
【００２１】
図２はピンブロックの要部断面図である。前記図１（Ｃ）はスライドピン１０および逸走防止ピン１５についてのみの断面を示していたが、図２では逸走防止ピン１５の詳細について明示している。ステップバー７を両側から挟持する形態にて配設されるピンブロック４は、両側の板状の第１および第２枠体４Ａ、４Ｂから構成される（ジャッキブロック９についても同様の構成である）。これら枠体４Ａ、４Ｂは、ステップバー７の上下のフランジの両側縁をスライドしつつ精度よく移動する。第１枠体４Ａにはスライドピン１０が配設され、第２枠体４Ｂには白矢印のように電磁石１６の解磁によって圧縮スプリング１７によりばね付勢されて進出する逸走防止ピン１５が配設される。符号１８は、ピン孔８の前後の逸走防止ピン１５側に設置された所定厚さのロックプレートを示す。ピン孔８の周囲を補強する機能と、後述する逸走防止ピン１５の逸走防止機能も有する。前記電磁石１６は、逸走防止ピン１５をステップバー７のピン孔８から退避させる場合に通電・励磁され、圧縮スプリング１７の付勢力に抗して反白矢印方向に後退する。これにより、ピンブロック４が自在に進行方向（図面左方）に移動可能になり、ピンブロック４の盛替えが可能となる。
【００２２】
図３はスライド装置の側面および平面図である。図３は図１（Ｂ）に相当するところの、ピンブロック４に対してジャッキブロック９に固定されたジャッキ５、６のピストン５Ｂ、６Ｂが伸張した状態（実線４）から、ピストン５Ｂ、６Ｂを縮小させてピンブロック４をジャッキブロック９に近接させて引き寄せた状態（二点鎖線４’）、すなわちピンブロック４の盛替えが行われる状態を説明した図である。図３（Ａ）に示すように、ジャッキ５、６は、ステップバー７を間にしてステップバー７とほぼ平行に上下に配設される。ジャッキ５、６の各シリンダ５Ａ、６Ａはジャッキブロック９の台座９Ａに固定される。台座９Ａの底部の孔部を通じてシリンダ５Ａ、６Ａからピストン５Ｂ、６Ｂがステップバー７とほぼ平行に延びてピンブロック４に軸着された状態が明瞭に理解される。図３（Ｂ）の平面図（ピン部分の平断面）により、ステップバー７のピン孔８に対するスライドピン１０および逸走防止ピン１５の係合状態が理解される。
【００２３】
図４は図３（Ａ）のＣ矢視ピンブロックの全体断面図である。図面の略中央部が、図面紙背側から紙面手前側（進行方向）に延びるステップバー７である。該ステップバー７の両側にピンブロック４の第１枠体４Ａおよび第２枠体４Ｂが配設され、第１枠体４Ａおよび第２枠体４Ｂにはそれぞれスライドピン１０および逸走防止ピン１５が、ステップバー７に直交してピン孔８に係脱自在に配設される。スライドピン１０の後端部は、第１枠体４Ａの下部から延設された腕の下端の支点１９を揺動中心とした解除レバー１４の中途に軸支。揺動レバー１４の中途下部と第１枠体４Ａとの間には引張りばね１１が張設され、スライドピン１０を常時ピン孔８の方向に付勢している。前記揺動レバー１４を握ることで引張りばね１１の復元力に抗して、揺動レバー１４を反時計周り方向に揺動させるとともに、スライドピン１０を後退させてピン孔８から離脱させることができる。そして、第１枠体４Ａの上部から延設された腕の先端に設けた係止用孔の揺動レバー１４を軸支することで、ピンブロック４の盛替え（進行方向にピンブロック４の移動は前記傾斜面１０Ａにより常時可能であるが、ピンブロック４の逆走時の盛替え）のためのピンブロック４のステップバー７に対する移動や取外しが可能となる。  
【００２４】
図５はピンブロックの盛替え状態説明図である。図５（Ｃ）の状態からピンブロック４を盛り替えるには、逸走防止ピン１５の電磁石１６（図２）を励磁することにより、圧縮スプリング１７（図２）の復元力に抗して逸走防止ピン１５をピン孔８から離脱させる。逸走防止ピン１５のストロークは、ステップバー７に添設されたロックプレート１８の厚みをクリアさせるものである。この状態にてスライド装置１における前記シリンダ５Ｂ、６Ｂを縮小させてピンブロック４を進行方向に引き寄せると、スライドピン１０の先端における仰角形態の傾斜面１０Ａがピン孔８を乗り越えて、スライドピン１０が上方に退避してピンブロック４の進行方向への移動が可能となる。その途中の状態が図５（Ｂ）である。さらに、シリンダ５Ｂ、６Ｂを縮小させていくと、ピンブロック４がステップバー７における次のピン孔８の位置に到達する（図５（Ａ）の位置）。この位置にて前記電磁石１６を解磁することにより、圧縮スプリング１７の復元力によって逸走防止ピン１５がピン孔８に係合するので、この状態にて万一の地震等が発生してもピンブロック４が妄りに移動することがない。
【００２５】
図６はスライド装置による移動構造体の移動作業手順を示すスライドサイクル図である。図６（Ａ）〜図６（Ｃ）までが１サイクル、図６（Ｄ）〜図６（Ｆ）までが次の１サイクルである。図６（Ａ）の初期状態にては、ピンブロック４のスライドピン１０が第１ピン孔８に係合している。図６（Ｂ）では、ピンブロック４に対してジャッキブロック９のジャッキ５、６を伸張させて移動構造体Ｕを前進移動させた状態である。図６（Ｃ）では、逸走防止ピン１５をピン孔８から離脱させ、ジャッキ５、６を縮小させてピンブロック４を引き寄せる盛替え状態が示されている。このとき、ジャッキブロック９側は移動構造体Ｕに支持されているため動くことはない。この位置にて、ピンブロック４のスライドピン１０は第２ピン孔８に自動的に係合する。このピンブロック４のスライドピン１０が第２ピン孔８に係合した状態から、図６（Ａ）〜図６（Ｃ）の１サイクルを繰り返した状態を示したものが、図６（Ｄ）〜図６（Ｆ）である。
【００２６】
図７はロックプレートを設置したステップバーの変形例を示す逸走防止状態の平面図である。本実施例では、ピンブロック４の盛替え中、すなわちピンブロック４がステップバー７のピン孔８、８間に位置する際の地震等の横揺れに遭遇した場合を想定したものである。前記ステップバー７における逸走防止ピン１５側のピン孔８の前後およびピン孔８、８間に、所定厚さのロックプレート１８を適宜個数設置したものである。電磁石１６を解磁して逸走防止ピン１５を右側のピン孔８から離脱させ（ロックプレート１８の厚みをクリアするまで退避させる）、この状態にて進行方向（左方向）に移動させる盛替え中に、万一の地震等が発生した場合には、横揺れを検知したスイッチ動作あるいは断線により電磁石が有効に解磁されることで、圧縮スプリング１７（図２）の復元力により逸走防止ピン１５が適宜個数設置されたロックプレート１８間に進出する。これにより、ピンブロック４の進行方向への逸走・盲動が抑制される。
【００２７】
図８は他の変形例を示す逸走および逆走防止状態の平面図である。本実施例では、ロックプレート１８の厚さを逸走防止ピン１５の傾斜面１５Ａ形成部を越える厚さとしたものである。本実施例の場合は、逸走防止ピン１５の先端を前記スライドピン１０の先端の傾斜１０Ａと逆向きにして、両傾斜面を整合させることで、ステップバー７のピン孔８に対する両方のピンの傾斜面と反対側の規制面をオーバーラップ配置して、ステップバー７の厚みを無用に大きくしなくても済むようにした場合でも、一旦、逸走防止ピン１５がロックプレート１８間に進出すると、逆走方向（図面右方向）への盲動も有効に抑制することが可能となる。
【００２８】
以上、本発明の実施例について説明してきたが、本発明の趣旨の範囲内で、スライド装置は、移動構造体を押進させてスライドさせることで詳述したが、スライドピンおよび逸走防止ピンの両面傾斜を逆の傾斜で構成した場合は、牽引してスライドさせることが可能であり、基礎等の静止部材の種類（床、ホーム、地面等、静止するものであればいかなるものも対象たり得る）、移動構造体の種類（建築物、橋梁等最終的には静止構造物となるものでも、構築途中に移動させるものであればいかなるものも対象たり得る）、ステップバーの形状（Ｉ形鋼、Ｈ形鋼、Ｔ形鋼、閉断面角管等適宜断面のものが採用され得る）、形式および材質（好適には強度の大きな鋼材が採用されるが、他の適宜材質のものを排除するものではない）、ピン孔の側面視形状（好適には、四角形であるが円形等の適宜形状であってもよい）およびその間隔、スライド装置を構成するピンブロックおよびジャッキブロックの形状（ステップバーを挟持する形態にて一対の枠体から構成されるが、ステップバーのフランジ等に精度よく嵌合させてスライドするように構成してもよい）、形式、ジャッキの形状、形式（ステップバーとほぼ平行に配設されるシリンダとピストンから構成されるが、螺子筒とこれに螺合する回転螺子棒とから構成した軸動部材によりスライド装置を構成してもよい）およびジャッキブロックにおける配設形態ならびにピンブロックとの関連構成（軸支等）、傾斜面を含むスライドピンの形状、形式、ピンブロックにおける配設形態および付勢形態ならびに付勢ばねの形式（実施例の引張りばねに代えて、圧縮ばねにより適宜の方法で進出付勢するように構成してもよい）、傾斜面を含む逸走防止ピンの形状、形式、ピンブロックにおける配設形態および付勢形態ならびに付勢ばねの形式（実施例の圧縮スプリングに代えて、引張りねにより適宜の方法で進出付勢するように構成してもよい）、電磁石の形状、形式およびその励・解磁形態（手動で閉じて通電励磁させ、横揺れによる開くスイッチにより解磁させる他、ピンブロックの僅かの盛替え移動を検知して通電励磁させる等）、ロックプレートの形状、形式および設置形態等については適宜選定できる。実施例に記載の諸元はあらゆる点で単なる例示に過ぎず限定的に解釈してはならない。
【図面の簡単な説明】
【００２９】
【図１】本発明のスライド装置における逸走防止機構の全体側面図および要部断面図である。
【図２】同、ピンブロックの要部断面図である。
【図３】同、スライド装置の側面および平面図である。
【図４】同、図３（Ａ）のＣ矢視ピンブロックの全体断面図である。
【図５】同、ピンブロックの盛替え状態説明図である。
【図６】同、スライド装置による移動構造体の移動作業手順を示すスライドサイクル図である。
【図７】同、ロックプレートを設置したステップバーの変形例を示す逸走防止状態の平面図である。
【図８】同、他の変形例を示す逸走および逆走防止状態の平面図である。
【図９】従来のスライド装置であるトラベリング用走行レール兼反力装置の説明図である。
【図１０】本発明の前提技術となったスライド装置の動作説明図である。
【符号の説明】
【００３０】
１      スライド装置
２      第１固定台
３      第２固定台
４      ピンブロック
５      第１ジャッキ
５Ａ      シリンダ
５Ｂ      ピストン
６      第２ジャッキ
６Ａ      シリンダ
６Ｂ      ピストン
７      ステップバ−
８      ピン孔
９      ジャッキブロック
１０      スライドピン
１０Ａ      傾斜面
１０Ｂ      規制面
１５      逸走防止ピン
１５Ａ      傾斜面
１５Ｂ      規制面
１８      ロックプレート
Ｇ      基礎
Ｕ      移動構造体
【図１】
0004657835.tif 000002
【図２】
0004657835.tif 000003
【図３】
0004657835.tif 000004
【図４】
0004657835.tif 000005
【図５】
0004657835.tif 000006
【図６】
0004657835.tif 000007
【図７】
0004657835.tif 000008
【図８】
0004657835.tif 000009
【図９】
0004657835.tif 000010
【図１０】
0004657835.tif 000011